(57)【要約】【課題】本発明は快速に開けられる包装箱を開示した。【解決手段】本発明は快速に開けられる包装箱を開示し、台座を含み、前記台座には左右に対称的な側壁が設置されており、ここは左側の前記側壁を例にして詳しく説明し、前記側壁の前後側端面には前後に対称的な隔離板が設置されており、前記隔離板と前記側壁とがヒンジで連結され、前記側壁の中には動力チャンバが設置されており、本発明は結構が簡単で、操作が便利で、この設備を開ける時に半自動化を実現でき、不注意の接触によって包装箱が自動的に開けることを回避でき、それに包装箱は重複に利用でき、木材資源を省け、そのためこの設備の使用と普及価値が高い。【選択図】図１
2020172326.tif 000002
【特許請求の範囲】
【請求項１】
快速に開けられる包装箱であって、台座を含み、前記台座には左右に対称的な側壁が設置されており、ここは左側の前記側壁を例にして詳しく説明し、前記側壁の前後側端面には前後に対称的な隔離板が設置されており、前記隔離板と前記側壁とがヒンジで連結され、前記側壁の中には動力チャンバが設置されており、前記動力チャンバの前後両壁の中には対称的な折畳みチャンバが設置されており、ここは後側の前記折畳みチャンバを例にして詳しく説明し、前記折畳みチャンバの中には折畳み装置が設置されており、前記側壁の中にはロックチャンバが設置されており、前記ロックチャンバの中にはロック装置が設置されており、前記動力チャンバの下壁の中には翻転チャンバが設置されており、前記翻転チャンバの中には翻転装置が設置されており、前記動力チャンバの中には動力装置が設置されており、前記動力装置は前記動力チャンバの頂壁の中に設置されるモーターを含み、前記動力チャンバの中には前記モーターと伝動できるように連結される主軸が設置されており、前記動力チャンバの中の主軸の外壁には上傘歯車が設置されており、前記翻転チャンバの中の主軸の底端には下扇形傘歯車が設置され、
前記動力装置は前記折畳み装置を回転連動させて包装箱の前記隔離板を折畳み、包装箱の体積を減少させることを特徴とする快速に開けられる包装箱。
【請求項２】
前記反転装置は前記翻転チャンバの中に設置される翻転軸を含み、前記翻転軸の前端には前記下扇形傘歯車と噛み合う下傘歯車が設置されており、前記下傘歯車の後端には翻転歯車が設置されており、前記翻転チャンバの中には前記翻転歯車と噛み合う伝動歯車が設置されており、前記台座には前記伝動歯車を噛み合う翻転ラックが設置され、
前記翻転装置は前記側壁を回して快速に包装箱を開けられることを特徴とする請求項１に記載の快速に開けられる包装箱。
【請求項３】
前記ロック装置は前記ロックチャンバの中に設置されるロック軸を含み、前記ロック軸の頂端にはロックほぞが設置されており、右側の前記側壁の中には前記ロックほぞを挿入できるロック槽が設置されており、前記ロックチャンバの下壁の中には転換チャンバが設置されており、前記ロック軸の外壁には前記転換チャンバの中に位置する主歯車が設置されており、前記転換チャンバの中には回転ハンドルが回転できるように設置されており、前記回転ハンドルの中にはスライド槽が設置されており、前記スライド槽の中にはスライド棒がスライドできるように設置されており、前記スライド棒の後端と前記スライド槽の後壁との間には撥条が弾性的に設置されており、前記転換チャンバの中には前記スライド棒とヒンジで連結されるスライダがスライドできるように設置されており、前記スライダの右端には前記主歯車と噛み合うロックラックが設置されており、前記後チャンバの頂壁の中には同期槽が設置されており、前記ロック軸の外壁には前記同期槽の中に位置する同期歯車が設置されており、右側の前記側壁の中には上記と同じの結構が設置されており、右側と左側が前記同期歯車によって噛み合って連結され、前記転換チャンバの下壁の中には後チャンバが設置されており、前記ロック軸の底端には前記後チャンバの中に位置する正傘歯車が設置されており、前記後チャンバの中には位置制限軸が設置されており、前記位置制限軸の後端には前記正傘歯車と噛み合う副傘歯車が設置されており、前記後チャンバの前後壁の中には保存チャンバが設置されており、前記隔離板の中には前記保存チャンバと対応する位置制限槽が設置されており、前記位置制限軸には前記保存チャンバの中に位置する位置制限棒が設置され、
前記ロック装置は包装箱の各側壁を固定し、包装箱の安定性を保障できることを特徴とする請求項１に記載の快速に開けられる包装箱。
【請求項４】
前記折畳み装置は前記折畳みチャンバの中に設置される折畳み軸を含み、前記折畳み軸の前端には前記上傘歯車と噛み合う前傘歯車が設置されており、前記折畳みチャンバの中の前記折畳み軸の外壁には後扇形傘歯車が設置されており、前記折畳みチャンバの中には従軸が設置されており、前記従軸の頂端には前記後扇形傘歯車と噛み合う従傘歯車が設置されており、前記従軸の底端には折畳み歯車が設置されており、前記隔離板には環状ラックが設置されており、前記折畳みチャンバの後壁の中には扇形チャンバが設置されており、前記扇形チャンバの中の前記折畳み軸の後端には扇形歯車が設置されており、前記扇形チャンバの後壁の中には固定チャンバが設置されており、前記固定チャンバの中には固定軸が設置されており、前記扇形チャンバの中の前記固定軸の前端には前記扇形歯車と噛み合う固定歯車が設置されており、前記固定軸の後端には固定ほぞが設置されており、前記隔離板の中には固定槽が設置され、
前記折畳み装置が前記隔離板を折畳むことができ、包装箱を開けた後の体積を減少させることを特徴とする請求項１に記載の快速に開けられる包装箱。
【発明の詳細な説明】
【技術分野】
【０００１】
本発明は設備包装の分野を取り上げて、具体的には快速に開けられる包装箱できる。
【背景技術】
【０００２】
便利に運輸と貯蔵するため、多くの場合は木質包装箱を使って包装し、しかし現有の包装箱のほとんど刃木板から組み合わせられ、包装箱を開けるのも暴力方式に頼り、開ける過程は時間も力も大変かかり、しかも木材資源を大変無駄使いし、そのため、本発明は素早く解体できて回収できる快速に開けられる包装箱を設計するつもりである。
【先行技術文献】
【特許文献】
【０００３】
【特許文献１】中国特許出願公開第102837903号明細書
【発明の概要】
【発明が解決しようとする課題】
【０００４】
本発明の目的は快速に開けられる包装箱を提供し、それは現有の技術の上記欠点を克服できる。
【課題を解決するための手段】
【０００５】
本発明の快速に開けられる包装箱は、台座を含み、前記台座には左右に対称的な側壁が設置されており、ここは左側の前記側壁を例にして詳しく説明し、前記側壁の前後側端面には前後に対称的な隔離板が設置されており、前記隔離板と前記側壁とがヒンジで連結され、前記側壁の中には動力チャンバが設置されており、前記動力チャンバの前後両壁の中には対称的な折畳みチャンバが設置されており、ここは後側の前記折畳みチャンバを例にして詳しく説明し、前記折畳みチャンバの中には折畳み装置が設置されており、前記側壁の中にはロックチャンバが設置されており、前記ロックチャンバの中にはロック装置が設置されており、前記動力チャンバの下壁の中には翻転チャンバが設置されており、前記翻転チャンバの中には翻転装置が設置されており、前記動力チャンバの中には動力装置が設置されており、前記動力装置は前記動力チャンバの頂壁の中に設置されるモーターを含み、前記動力チャンバの中には前記モーターと伝動できるように連結される主軸が設置されており、前記動力チャンバの中の主軸の外壁には上傘歯車が設置されており、前記翻転チャンバの中の主軸の底端には下扇形傘歯車が設置されており、
前記動力装置は前記折畳み装置を回転連動させて包装箱の前記隔離板を折畳み、包装箱の体積を減少させる。
【０００６】
更なる技術方案、前記反転装置は前記翻転チャンバの中に設置される翻転軸を含み、前記翻転軸の前端には前記下扇形傘歯車と噛み合う下傘歯車が設置されており、前記下傘歯車の後端には翻転歯車が設置されており、前記翻転チャンバの中には前記翻転歯車と噛み合う伝動歯車が設置されており、前記台座には前記伝動歯車を噛み合う翻転ラックが設置されており、
前記翻転装置は前記側壁を回して快速に包装箱を開けられる。
【０００７】
更なる技術方案、前記ロック装置は前記ロックチャンバの中に設置されるロック軸を含み、前記ロック軸の頂端にはロックほぞが設置されており、右側の前記側壁の中には前記ロックほぞを挿入できるロック槽が設置されており、前記ロックチャンバの下壁の中には転換チャンバが設置されており、前記ロック軸の外壁には前記転換チャンバの中に位置する主歯車が設置されており、前記転換チャンバの中には回転ハンドルが回転できるように設置されており、前記回転ハンドルの中にはスライド槽が設置されており、前記スライド槽の中にはスライド棒がスライドできるように設置されており、前記スライド棒の後端と前記スライド槽の後壁との間には撥条が弾性的に設置されており、前記転換チャンバの中には前記スライド棒とヒンジで連結されるスライダがスライドできるように設置されており、前記スライダの右端には前記主歯車と噛み合うロックラックが設置されており、前記後チャンバの頂壁の中には同期槽が設置されており、前記ロック軸の外壁には前記同期槽の中に位置する同期歯車が設置されており、右側の前記側壁の中には上記と同じの結構が設置されており、右側と左側が前記同期歯車によって噛み合って連結され、前記転換チャンバの下壁の中には後チャンバが設置されており、前記ロック軸の底端には前記後チャンバの中に位置する正傘歯車が設置されており、前記後チャンバの中には位置制限軸が設置されており、前記位置制限軸の後端には前記正傘歯車と噛み合う副傘歯車が設置されており、前記後チャンバの前後壁の中には保存チャンバが設置されており、前記隔離板の中には前記保存チャンバと対応する位置制限槽が設置されており、前記位置制限軸には前記保存チャンバの中に位置する位置制限棒が設置されており、
前記ロック装置は包装箱の各側壁を固定し、包装箱の安定性を保障できる。
【０００８】
更なる技術方案、前記折畳み装置は前記折畳みチャンバの中に設置される折畳み軸を含み、前記折畳み軸の前端には前記上傘歯車と噛み合う前傘歯車が設置されており、前記折畳みチャンバの中の前記折畳み軸の外壁には後扇形傘歯車が設置されており、前記折畳みチャンバの中には従軸が設置されており、前記従軸の頂端には前記後扇形傘歯車と噛み合う従傘歯車が設置されており、前記従軸の底端には折畳み歯車が設置されており、前記隔離板には環状ラックが設置されており、前記折畳みチャンバの後壁の中には扇形チャンバが設置されており、前記扇形チャンバの中の前記折畳み軸の後端には扇形歯車が設置されており、前記扇形チャンバの後壁の中には固定チャンバが設置されており、前記固定チャンバの中には固定軸が設置されており、前記扇形チャンバの中の前記固定軸の前端には前記扇形歯車と噛み合う固定歯車が設置されており、前記固定軸の後端には固定ほぞが設置されており、前記隔離板の中には固定槽が設置されており、
前記折畳み装置が前記隔離板を折畳むことができ、包装箱を開けた後の体積を減少させる。
【発明の効果】
【０００９】
本発明の有益な効果は下記の通りである：
【００１０】
本発明は結構が簡単で、操作が便利で、この設備を開ける時に半自動化を実現でき、不注意の接触によって包装箱が自動的に開けることを回避でき、それに包装箱は重複に利用でき、木材資源を省け、そのためこの設備の使用と普及価値が高い。
【図面の簡単な説明】
【００１１】
発明実施例或いは現有技術の技術プランをもっとはっきり説明できるため、以下は実施例或いは現有技術の説明に使われる付図を簡単に紹介する。
【図１】図１は本発明の快速に開けられる包装箱の全体構成模式図であり；
【図２】図２は図１のＡの構成模式図
【図３】図３は図１のＢの構成模式図
【図４】図４は図２のＣ−Ｃの構成模式図
【図５】図５は図２のＤ−Ｄの構成模式図
【図６】図６は図３のＥ−Ｅの構成模式図
【発明を実施するための形態】
【００１２】
以下は図１−６について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−６に示されるように、本発明の快速に開けられる包装箱は、台座４２を含み、前記台座４２には左右に対称的な側壁１１が設置されており、ここは左側の前記側壁１１を例にして詳しく説明し、前記側壁１１の前後側端面には前後に対称的な隔離板６０が設置されており、前記隔離板６０と前記側壁１１とがヒンジで連結され、前記側壁１１の中には動力チャンバ３１が設置されており、前記動力チャンバ３１の前後両壁の中には対称的な折畳みチャンバ５１が設置されており、ここは後側の前記折畳みチャンバ５１を例にして詳しく説明し、前記折畳みチャンバ５１の中には折畳み装置１００が設置されており、前記側壁１１の中にはロックチャンバ６３が設置されており、前記ロックチャンバ６３の中にはロック装置２００が設置されており、前記動力チャンバ３１の下壁の中には翻転チャンバ３５が設置されており、前記翻転チャンバ３５の中には翻転装置３００が設置されており、前記動力チャンバ３１の中には動力装置４００が設置されており、前記動力装置４００は前記動力チャンバ３１の頂壁の中に設置されるモーター３０を含み、前記動力チャンバ３１の中には前記モーター３０と伝動できるように連結される主軸３２が設置されており、前記動力チャンバ３１の中の主軸３２の外壁には上傘歯車３３が設置されており、前記翻転チャンバ３５の中の主軸３２の底端には下扇形傘歯車３６が設置されており、
前記動力装置４００は前記折畳み装置１００を回転連動させて包装箱の前記隔離板６０を折畳み、包装箱の体積を減少させる。
【００１４】
有益なように、前記反転装置３００は前記翻転チャンバ３５の中に設置される翻転軸３９を含み、前記翻転軸３９の前端には前記下扇形傘歯車３６と噛み合う下傘歯車３８が設置されており、前記下傘歯車３８の後端には翻転歯車３７が設置されており、前記翻転チャンバ３５の中には前記翻転歯車３７と噛み合う伝動歯車４０が設置されており、前記台座４２には前記伝動歯車４０を噛み合う翻転ラック４１が設置されており、
前記翻転装置３００は前記側壁１１を回して快速に包装箱を開けられる。
【００１５】
有益なように、前記ロック装置２００は前記ロックチャンバ６３の中に設置されるロック軸１７を含み、前記ロック軸１７の頂端にはロックほぞ２８が設置されており、右側の前記側壁１１の中には前記ロックほぞ２８を挿入できるロック槽２９が設置されており、前記ロックチャンバ６３の下壁の中には転換チャンバ２７が設置されており、前記ロック軸１７の外壁には前記転換チャンバ２７の中に位置する主歯車１５が設置されており、前記転換チャンバ２７の中には回転ハンドル１２が回転できるように設置されており、前記回転ハンドル１２の中にはスライド槽４３が設置されており、前記スライド槽４３の中にはスライド棒４５がスライドできるように設置されており、前記スライド棒４５の後端と前記スライド槽４３の後壁との間には撥条４４が弾性的に設置されており、前記転換チャンバ２７の中には前記スライド棒４５とヒンジで連結されるスライダ１３がスライドできるように設置されており、前記スライダ１３の右端には前記主歯車１５と噛み合うロックラック１４が設置されており、前記後チャンバ２２の頂壁の中には同期槽２６が設置されており、前記ロック軸１７の外壁には前記同期槽２６の中に位置する同期歯車１６が設置されており、右側の前記側壁１１の中には上記と同じの結構が設置されており、右側と左側が前記同期歯車によって噛み合って連結され、前記転換チャンバ２７の下壁の中には後チャンバ２２が設置されており、前記ロック軸１７の底端には前記後チャンバ２２の中に位置する正傘歯車２３が設置されており、前記後チャンバ２２の中には位置制限軸１９が設置されており、前記位置制限軸１９の後端には前記正傘歯車２３と噛み合う副傘歯車１８が設置されており、前記後チャンバ２２の前後壁の中には保存チャンバ６２が設置されており、前記隔離板６０の中には前記保存チャンバ６２と対応する位置制限槽６６が設置されており、前記位置制限軸１９には前記保存チャンバ６２の中に位置する位置制限棒６１が設置されており、
前記ロック装置２００は包装箱の各側壁を固定し、包装箱の安定性を保障できる。
【００１６】
有益なように、前記折畳み装置１００は前記折畳みチャンバ５１の中に設置される折畳み軸４６を含み、前記折畳み軸４６の前端には前記上傘歯車３３と噛み合う前傘歯車３４が設置されており、前記折畳みチャンバ５１の中の前記折畳み軸４６の外壁には後扇形傘歯車４７が設置されており、前記折畳みチャンバ５１の中には従軸５０が設置されており、前記従軸５０の頂端には前記後扇形傘歯車４７と噛み合う従傘歯車４９が設置されており、前記従軸５０の底端には折畳み歯車４８が設置されており、前記隔離板６０には環状ラック５９が設置されており、前記折畳みチャンバ５１の後壁の中には扇形チャンバ５２が設置されており、前記扇形チャンバ５２の中の前記折畳み軸４６の後端には扇形歯車５３が設置されており、前記扇形チャンバ５２の後壁の中には固定チャンバ５６が設置されており、前記固定チャンバ５６の中には固定軸５５が設置されており、前記扇形チャンバ５２の中の前記固定軸５５の前端には前記扇形歯車５３と噛み合う固定歯車５４が設置されており、前記固定軸５５の後端には固定ほぞ５７が設置されており、前記隔離板６０の中には固定槽５８が設置されており、
前記折畳み装置１００が前記隔離板を折畳むことができ、包装箱を開けた後の体積を減少させる。
【００１７】
包装箱を開ける時、使用者が回転ハンドル１２を手動で回転させ、それによりスライド棒４５と、スライダ１３と、ロックラック１４と、主歯車１５とによってロック軸１７を回転連動させ、それによりロックほぞ２８を回転連動させてロック槽２９から離脱させ、同時に、ロック軸１７は正傘歯車２３と、副傘歯車１８と、位置制限軸１９とによって位置制限棒６１を回転連動させて位置制限槽６６から離脱させ、それと同時、モーター３０が始動して主軸３２によって上傘歯車３３と、下扇形傘歯車３６とを回転連動させ、上傘歯車３３が前傘歯車３４と、折畳み軸４６と、扇形歯車５３と、固定歯車５４と、固定軸５５とによって固定ほぞ５７を回転連動させて固定槽５８から離脱させ、同時に、折畳み軸４６が後扇形傘歯車４７と、従傘歯車４９と、従軸５０と、折畳み歯車４８と、環状ラック５９によって隔離板６０を回転連動させ、それと同時に、下扇形傘歯車３６が下傘歯車３８と、翻転軸３９と、翻転歯車３７と、伝動歯車４０と、翻転ラック４１とによって側壁１１を回転連動させ、包装箱を開けて折り畳む。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020172326.tif 000003
【図２】
2020172326.tif 000004
【図３】
2020172326.tif 000005
【図４】
2020172326.tif 000006
【図５】
2020172326.tif 000007
【図６】
2020172326.tif 000008
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
正面視で下側には台座を有する快速に開けられる包装箱であって、台座を含み、前記台座には左右に対称的な側壁が設置されており、ここは左側の前記側壁を例にして詳しく説明し、前記側壁の前後側端面には前後に対称的な隔離板が設置されており、前記隔離板と前記側壁とがヒンジで連結され、前記側壁の中には動力チャンバが設置されており、前記動力チャンバの前後両壁の中には対称的な折畳みチャンバが設置されており、ここは後側の前記折畳みチャンバを例にして詳しく説明し、前記折畳みチャンバの中には折畳み装置が設置されており、前記側壁の中にはロックチャンバが設置されており、前記ロックチャンバの中にはロック装置が設置されており、前記動力チャンバの下側壁の中には翻転チャンバが設置されており、前記翻転チャンバの中には前後に延びた翻転装置が設置されており、前記動力チャンバの中には動力装置が設置されており、前記動力装置は前記動力チャンバの上側壁の中に設置されるモーターを含み、前記動力チャンバの中には前記モーターと伝動できるように連結され且つ上下に延びた主軸が設置されており、前記動力チャンバの中の主軸の外壁には上傘歯車が設置されており、前記翻転チャンバの中の主軸の底端には下扇形傘歯車が設置され、
前記動力装置は前記折畳み装置を回転連動させて包装箱の前記隔離板を折畳み、包装箱の体積を減少させることを特徴とする快速に開けられる包装箱。
【請求項２】
前記翻転装置は前記翻転チャンバの中に設置される翻転軸を含み、前記翻転軸の前端には前記下扇形傘歯車と噛み合う下傘歯車が設置されており、前記下傘歯車の後端には翻転歯車が設置されており、前記翻転チャンバの中には前記翻転歯車と噛み合う伝動歯車が設置されており、前記台座には前記伝動歯車と噛み合う翻転ラックが設置され、
前記翻転装置は前記側壁を回して快速に包装箱を開けられることを特徴とする請求項１に記載の快速に開けられる包装箱。
【請求項３】
前記ロック装置は、前記ロックチャンバの中に設置され且つ上下に伸びたロック軸を含み、前記ロック軸の頂端にはロックほぞが設置されており、右側の前記側壁の中には前記ロックほぞを挿入できるロック槽が設置されており、前記ロックチャンバの下壁の中には転換チャンバが設置されており、前記ロック軸の外壁には前記転換チャンバの中に位置する主歯車が設置されており、前記転換チャンバの中に回転ハンドルを装着することができ、前記回転ハンドルの中にはスライド槽が設置されており、前記スライド槽の中にはスライド棒がスライドできるように設置されており、前記スライド棒の後端と前記スライド槽の後壁との間には撥条が弾性的に設置されており、前記転換チャンバの中には前記スライド棒とヒンジで連結されるスライダがスライドできるように設置されており、前記スライダの右端には前記主歯車と噛み合うロックラックが設置されており、後チャンバの頂壁の中には同期槽が設置されており、前記ロック軸の外壁には前記同期槽の中に位置する同期歯車が設置されており、右側の前記側壁の中には上記と同じの構造が設置されており、右側の前記同期歯車と左側の前記同期歯車とが噛み合って連結され、前記転換チャンバの下壁の中には後チャンバが設置されており、前記ロック軸の底端には前記後チャンバの中に位置する正傘歯車が設置されており、前記後チャンバの中には位置制限軸が設置されており、前記位置制限軸の後端には前記正傘歯車と噛み合う副傘歯車が設置されており、前記後チャンバの前後壁の中には保存チャンバが設置されており、前記隔離板の中には前記保存チャンバと対応する位置制限槽が設置されており、前記位置制限軸には前記保存チャンバの中に位置する位置制限棒が設置され、
前記ロック装置は包装箱の各側壁を固定し、包装箱の安定性を保障できることを特徴とする請求項１に記載の快速に開けられる包装箱。
【請求項４】
前記折畳み装置は、前記折畳みチャンバの中に設置され且つ前後に伸びた折畳み軸を含み、前記折畳み軸の前端には前記上傘歯車と噛み合う前傘歯車が設置されており、前記折畳みチャンバの中の前記折畳み軸の外壁には後扇形傘歯車が設置されており、前記折畳みチャンバの中には従軸が設置されており、前記従軸の頂端には前記後扇形傘歯車と噛み合う従傘歯車が設置されており、前記従軸の底端には折畳み歯車が設置されており、前記隔離板には環状ラックが設置されており、前記折畳みチャンバの後壁の中には扇形チャンバが設置されており、前記扇形チャンバの中の前記折畳み軸の後端には扇形歯車が設置されており、前記扇形チャンバの後壁の中には固定チャンバが設置されており、前記固定チャンバの中には固定軸が設置されており、前記扇形チャンバの中の前記固定軸の前端には前記扇形歯車と噛み合う固定歯車が設置されており、前記固定軸の後端には固定ほぞが設置されており、前記隔離板の中には固定槽が設置され、
前記折畳み装置が前記隔離板を折畳むことができ、包装箱を開けた後の体積を減少させることを特徴とする請求項１に記載の快速に開けられる包装箱。
【手続補正２】
【補正対象書類名】明細書
【補正対象項目名】全文
【補正方法】変更
【補正の内容】
【発明の詳細な説明】
【技術分野】
【０００１】
本発明は設備包装の分野を取り上げて、具体的には快速に開けられる包装箱できる。
【背景技術】
【０００２】
便利に運輸と貯蔵するため、多くの場合は木質包装箱を使って包装し、しかし現有の包装箱のほとんど刃木板から組み合わせられ、包装箱を開けるのも暴力方式に頼り、開ける過程は時間も力も大変かかり、しかも木材資源を大変無駄使いし、そのため、本発明は素早く解体できて回収できる快速に開けられる包装箱を設計するつもりである。
【先行技術文献】
【特許文献】
【０００３】
【特許文献１】中国特許出願公開第102837903号明細書
【発明の概要】
【発明が解決しようとする課題】
【０００４】
本発明の目的は快速に開けられる包装箱を提供し、それは現有の技術の上記欠点を克服できる。
【課題を解決するための手段】
【０００５】
本発明の快速に開けられる包装箱は、台座を含み、前記台座には左右に対称的な側壁が設置されており、ここは左側の前記側壁を例にして詳しく説明し、前記側壁の前後側端面には前後に対称的な隔離板が設置されており、前記隔離板と前記側壁とがヒンジで連結され、前記側壁の中には動力チャンバが設置されており、前記動力チャンバの前後両壁の中には対称的な折畳みチャンバが設置されており、ここは後側の前記折畳みチャンバを例にして詳しく説明し、前記折畳みチャンバの中には折畳み装置が設置されており、前記側壁の中にはロックチャンバが設置されており、前記ロックチャンバの中にはロック装置が設置されており、前記動力チャンバの下側壁の中には翻転チャンバが設置されており、前記翻転チャンバの中には前後に延びた翻転装置が設置されており、前記動力チャンバの中には動力装置が設置されており、前記動力装置は前記動力チャンバの上側壁の中に設置されるモーターを含み、前記動力チャンバの中には前記モーターと伝動できるように連結され且つ上下に延びた主軸が設置されており、前記動力チャンバの中の主軸の外壁には上傘歯車が設置されており、前記翻転チャンバの中の主軸の底端には下扇形傘歯車が設置されており、
前記動力装置は前記折畳み装置を回転連動させて包装箱の前記隔離板を折畳み、包装箱の体積を減少させる。
【０００６】
更なる技術方案、前記翻転装置は前記翻転チャンバの中に設置される翻転軸を含み、前記翻転軸の前端には前記下扇形傘歯車と噛み合う下傘歯車が設置されており、前記下傘歯車の後端には翻転歯車が設置されており、前記翻転チャンバの中には前記翻転歯車と噛み合う伝動歯車が設置されており、前記台座には前記伝動歯車と噛み合う翻転ラックが設置されており、
前記翻転装置は前記側壁を回して快速に包装箱を開けられる。
【０００７】
更なる技術方案、前記ロック装置は、前記ロックチャンバの中に設置され且つ上下に伸びたロック軸を含み、前記ロック軸の頂端にはロックほぞが設置されており、右側の前記側壁の中には前記ロックほぞを挿入できるロック槽が設置されており、前記ロックチャンバの下壁の中には転換チャンバが設置されており、前記ロック軸の外壁には前記転換チャンバの中に位置する主歯車が設置されており、前記転換チャンバの中に回転ハンドルを装着することができ、前記回転ハンドルの中にはスライド槽が設置されており、前記スライド槽の中にはスライド棒がスライドできるように設置されており、前記スライド棒の後端と前記スライド槽の後壁との間には撥条が弾性的に設置されており、前記転換チャンバの中には前記スライド棒とヒンジで連結されるスライダがスライドできるように設置されており、前記スライダの右端には前記主歯車と噛み合うロックラックが設置されており、後チャンバの頂壁の中には同期槽が設置されており、前記ロック軸の外壁には前記同期槽の中に位置する同期歯車が設置されており、右側の前記側壁の中には上記と同じの構造が設置されており、右側の前記同期歯車と左側の前記同期歯車とが噛み合って連結され、前記転換チャンバの下壁の中には後チャンバが設置されており、前記ロック軸の底端には前記後チャンバの中に位置する正傘歯車が設置されており、前記後チャンバの中には位置制限軸が設置されており、前記位置制限軸の後端には前記正傘歯車と噛み合う副傘歯車が設置されており、前記後チャンバの前後壁の中には保存チャンバが設置されており、前記隔離板の中には前記保存チャンバと対応する位置制限槽が設置されており、前記位置制限軸には前記保存チャンバの中に位置する位置制限棒が設置されており、
前記ロック装置は包装箱の各側壁を固定し、包装箱の安定性を保障できる。
【０００８】
更なる技術方案、前記折畳み装置は、前記折畳みチャンバの中に設置され且つ前後に伸びた折畳み軸を含み、前記折畳み軸の前端には前記上傘歯車と噛み合う前傘歯車が設置されており、前記折畳みチャンバの中の前記折畳み軸の外壁には後扇形傘歯車が設置されており、前記折畳みチャンバの中には従軸が設置されており、前記従軸の頂端には前記後扇形傘歯車と噛み合う従傘歯車が設置されており、前記従軸の底端には折畳み歯車が設置されており、前記隔離板には環状ラックが設置されており、前記折畳みチャンバの後壁の中には扇形チャンバが設置されており、前記扇形チャンバの中の前記折畳み軸の後端には扇形歯車が設置されており、前記扇形チャンバの後壁の中には固定チャンバが設置されており、前記固定チャンバの中には固定軸が設置されており、前記扇形チャンバの中の前記固定軸の前端には前記扇形歯車と噛み合う固定歯車が設置されており、前記固定軸の後端には固定ほぞが設置されており、前記隔離板の中には固定槽が設置されており、
前記折畳み装置が前記隔離板を折畳むことができ、包装箱を開けた後の体積を減少させる。
【発明の効果】
【０００９】
本発明の有益な効果は下記の通りである：
【００１０】
本発明は構造が簡単で、操作が便利で、この設備を開ける時に半自動化を実現でき、不注意の接触によって包装箱が自動的に開けることを回避でき、それに包装箱は重複に利用でき、木材資源を省け、そのためこの設備の使用と普及価値が高い。
【図面の簡単な説明】
【００１１】
発明実施例或いは現有技術の技術プランをもっとはっきり説明できるため、以下は実施例或いは現有技術の説明に使われる付図を簡単に紹介する。
【図１】図１は本発明の快速に開けられる包装箱の全体構成模式図であり；
【図２】図２は図１のＡの構成模式図
【図３】図３は図１のＢの構成模式図
【図４】図４は図２のＣ−Ｃの構成模式図
【図５】図５は図２のＤ−Ｄの構成模式図
【図６】図６は図３のＥ−Ｅの構成模式図
【発明を実施するための形態】
【００１２】
本願に記載の各方向が、図１と同じ向きに装置を見た際の方向である。
【００１３】
図１−６に示されるように、本発明の快速に開けられる包装箱は、台座４２を含み、前記台座４２には左右に対称的な側壁１１が設置されており、ここは左側の前記側壁１１を例にして詳しく説明し、前記側壁１１の前後側端面には前後に対称的な隔離板６０が設置されており、前記隔離板６０と前記側壁１１とがヒンジで連結され、前記側壁１１の中には動力チャンバ３１が設置されており、前記動力チャンバ３１の前後両壁の中には対称的な折畳みチャンバ５１が設置されており、ここは後側の前記折畳みチャンバ５１を例にして詳しく説明し、前記折畳みチャンバ５１の中には折畳み装置１００が設置されており、前記側壁１１の中にはロックチャンバ６３が設置されており、前記ロックチャンバ６３の中にはロック装置２００が設置されており、前記動力チャンバ３１の下側壁の中には翻転チャンバ３５が設置されており、前記翻転チャンバ３５の中には前後に延びた翻転装置３００が設置されており、前記動力チャンバ３１の中には動力装置４００が設置されており、前記動力装置４００は前記動力チャンバ３１の上側壁の中に設置されるモーター３０を含み、前記動力チャンバ３１の中には前記モーター３０と伝動できるように連結され且つ上下に延びた主軸３２が設置されており、前記動力チャンバ３１の中の主軸３２の外壁には上傘歯車３３が設置されており、前記翻転チャンバ３５の中の主軸３２の底端には下扇形傘歯車３６が設置されており、前記動力装置４００は前記折畳み装置１００を回転連動させて包装箱の前記隔離板６０を折畳み、包装箱の体積を減少させる。
【００１４】
有益なように、前記翻転装置３００は前記翻転チャンバ３５の中に設置される翻転軸３９を含み、前記翻転軸３９の前端には前記下扇形傘歯車３６と噛み合う下傘歯車３８が設置されており、前記下傘歯車３８の後端には翻転歯車３７が設置されており、前記翻転チャンバ３５の中には前記翻転歯車３７と噛み合う伝動歯車４０が設置されており、前記台座４２には前記伝動歯車４０と噛み合う翻転ラック４１が設置されており、
前記翻転装置３００は前記側壁１１を回して快速に包装箱を開けられる。
【００１５】
有益なように、前記ロック装置２００は、前記ロックチャンバ６３の中に設置され且つ上下に伸びたロック軸１７を含み、前記ロック軸１７の頂端にはロックほぞ２８が設置されており、右側の前記側壁１１の中には前記ロックほぞ２８を挿入できるロック槽２９が設置されており、前記ロックチャンバ６３の下壁の中には転換チャンバ２７が設置されており、前記ロック軸１７の外壁には前記転換チャンバ２７の中に位置する主歯車１５が設置されており、前記転換チャンバ２７の中に回転ハンドル１２を装着することができ、前記回転ハンドル１２の中にはスライド槽４３が設置されており、前記スライド槽４３の中にはスライド棒４５がスライドできるように設置されており、前記スライド棒４５の後端と前記スライド槽４３の後壁との間には撥条４４が弾性的に設置されており、前記転換チャンバ２７の中には前記スライド棒４５とヒンジで連結されるスライダ１３がスライドできるように設置されており、前記スライダ１３の右端には前記主歯車１５と噛み合うロックラック１４が設置されており、後チャンバ２２の頂壁の中には同期槽２６が設置されており、前記ロック軸１７の外壁には前記同期槽２６の中に位置する同期歯車１６が設置されており、右側の前記側壁１１の中には上記と同じの構造が設置されており、右側の前記同期歯車と左側の前記同期歯車とが噛み合って連結され、前記転換チャンバ２７の下壁の中には後チャンバ２２が設置されており、前記ロック軸１７の底端には前記後チャンバ２２の中に位置する正傘歯車２３が設置されており、前記後チャンバ２２の中には位置制限軸１９が設置されており、前記位置制限軸１９の後端には前記正傘歯車２３と噛み合う副傘歯車１８が設置されており、前記後チャンバ２２の前後壁の中には保存チャンバ６２が設置されており、前記隔離板６０の中には前記保存チャンバ６２と対応する位置制限槽６６が設置されており、前記位置制限軸１９には前記保存チャンバ６２の中に位置する位置制限棒６１が設置されており、
前記ロック装置２００は包装箱の各側壁を固定し、包装箱の安定性を保障できる。
【００１６】
有益なように、前記折畳み装置１００は、前記折畳みチャンバ５１の中に設置され且つ前後に伸びた折畳み軸４６を含み、前記折畳み軸４６の前端には前記上傘歯車３３と噛み合う前傘歯車３４が設置されており、前記折畳みチャンバ５１の中の前記折畳み軸４６の外壁には後扇形傘歯車４７が設置されており、前記折畳みチャンバ５１の中には従軸５０が設置されており、前記従軸５０の頂端には前記後扇形傘歯車４７と噛み合う従傘歯車４９が設置されており、前記従軸５０の底端には折畳み歯車４８が設置されており、前記隔離板６０には環状ラック５９が設置されており、前記折畳みチャンバ５１の後壁の中には扇形チャンバ５２が設置されており、前記扇形チャンバ５２の中の前記折畳み軸４６の後端には扇形歯車５３が設置されており、前記扇形チャンバ５２の後壁の中には固定チャンバ５６が設置されており、前記固定チャンバ５６の中には固定軸５５が設置されており、前記扇形チャンバ５２の中の前記固定軸５５の前端には前記扇形歯車５３と噛み合う固定歯車５４が設置されており、前記固定軸５５の後端には固定ほぞ５７が設置されており、前記隔離板６０の中には固定槽５８が設置されており、
前記折畳み装置１００が前記隔離板を折畳むことができ、包装箱を開けた後の体積を減少
させる。
【００１７】
包装箱を開ける時、使用者が回転ハンドル１２を手動で回転させ、それによりスライド棒４５と、スライダ１３と、ロックラック１４と、主歯車１５とによってロック軸１７を回転連動させ、それによりロックほぞ２８を回転連動させてロック槽２９から離脱させ、同時に、ロック軸１７は正傘歯車２３と、副傘歯車１８と、位置制限軸１９とによって位置制限棒６１を回転連動させて位置制限槽６６から離脱させ、それと同時、モーター３０が始動して主軸３２によって上傘歯車３３と、下扇形傘歯車３６とを回転連動させ、上傘歯車３３が前傘歯車３４と、折畳み軸４６と、扇形歯車５３と、固定歯車５４と、固定軸５５とによって固定ほぞ５７を回転連動させて固定槽５８から離脱させ、同時に、折畳み軸４６が後扇形傘歯車４７と、従傘歯車４９と、従軸５０と、折畳み歯車４８と、環状ラック５９によって隔離板６０を回転連動させ、それと同時に、下扇形傘歯車３６が下傘歯車３８と、翻転軸３９と、翻転歯車３７と、伝動歯車４０と、翻転ラック４１とによって側壁１１を回転連動させ、包装箱を開けて折り畳む。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。